(57)【要約】  酸素水素混合ガスから得られる燃焼炎の有効活用を図ることができる燃焼反応器および燃焼方法を提供することを目的とする。  本発明に係る燃焼反応器（３０）は、酸素ガスおよび水素ガスを混合した酸素水素混合ガスを燃焼させる燃焼反応器（３０）であって、酸素水素混合ガスの燃焼による燃焼炎（３１）を被写体（３５）に接触させることにより、被写体（３５）の燃焼反応より詳しくはプラズマ崩壊を生じさせて被写体（３５）を原子水素に分裂させ、酸素水素混合ガスの燃焼炎（３１）により被写体（３５）を原子水素に分解し消失させることができる。
2020241656.tif 000002
【特許請求の範囲】
【請求項１】
酸素ガスおよび水素ガスを混合した酸素水素混合ガスの燃焼により生じた燃焼炎により被写体に所定の反応を生じさせることを特徴とする燃焼反応器。
【請求項２】
前記被写体の反応は、前記燃焼炎により前記被写体を電離して前記被写体から陽子および電子を放出してプラズマ化するプラズマ崩壊を含むことを特徴とする請求項１に記載の燃焼反応器。
【請求項３】
前記被写体の反応は、前記燃焼炎の内側の領域に前記被写体を提供することにより生じることを特徴とする請求項１に記載の燃焼反応器。
【請求項４】
前記燃焼炎と前記被写体との相対位置関係を変更する位置調整部を有し、前記位置調整部により前記燃焼炎と前記被写体との相対位置関係を変更して前記燃焼炎の内側の領域に前記被写体を提供することを特徴とする請求項１に記載の燃焼反応器。
【請求項５】
前記燃焼炎を検出する検出器と、前記検出器による検出データに基づいて前記燃焼炎の内側の領域を判断する領域判断部と、を有し、前記位置調整部は、前記領域判断部の判断結果に応じて前記燃焼炎と前記被写体との相対位置関係を変更することを特徴とする請求項４に記載の燃焼反応器。
【請求項６】
前記酸素水素混合ガスは、水の電気分解を行う電気分解室から発生するとともに、前記電気分解室は、外気と遮断するように密閉する構成とすることを特徴とする請求項１に記載の燃焼反応器。
【請求項７】
前記密閉は、所定のシール材により前記電気分解室をシールして行うことを特徴とする請求項６に記載の燃焼反応器。
【請求項８】
前記被写体の燃焼反応により生じた熱エネルギーにより発電を行う発電器を有することを特徴とする請求項１に記載の燃焼反応器。
【請求項９】
酸素ガスおよび水素ガスを混合した酸素水素混合ガスの燃焼により生じた燃焼炎により被写体に所定の反応を生じさせることを特徴とする燃焼反応方法。 
【発明の詳細な説明】
【技術分野】
【０００１】本発明は、燃焼反応器および燃焼方法に関し、特に酸素ガスおよび水素ガスを混合した酸素水素混合ガスの燃焼により生じた燃焼炎により被写体に所定の燃焼反応を生じさせる燃焼反応器および燃焼方法に関する。
【背景技術】
【０００２】  従来から酸素水素混合ガスが知られている。酸素水素混合ガスは、ブラウンガスやＨＨＯガスとも呼ばれ、水素ガスと酸素ガスのモル比が２：１で混合されたガスの総称である。【０００３】このような酸素水素混合ガスを発生させる装置は、例えば、特許文献１に開示される技術を参照することができる。
【先行技術文献】
【特許文献】
【０００４】
【特許文献１】特開２００２−１２９３６９号公報
【発明の概要】
【発明が解決しようとする課題】
【０００５】  昨今は、酸素水素混合ガスから得られる燃焼炎の有効活用を図ることが強く望まれている。【０００６】本願発明は上記事情に鑑みてなされたものであり、酸素水素混合ガスから得られる燃焼炎の有効活用を図ることができる燃焼反応器および燃焼方法を提供することを目的とする。
【課題を解決するための手段】
【０００７】上記目的を達成するために、本発明に係る燃焼反応器は、酸素ガスおよび水素ガスを混合した酸素水素混合ガスの燃焼により生じた燃焼炎により被写体に所定の反応を生じさせることを特徴とする。【０００８】本発明によれば、上記構成により、酸素水素混合ガスの燃焼により生じた燃焼炎により被写体に所定の反応を生じさせることができる等、酸素水素混合ガスから得られる燃焼炎の有効活用を図ることができる。【０００９】前記被写体の反応は、前記燃焼炎により前記被写体を電離して前記被写体から陽子および電子を放出してプラズマ化するプラズマ崩壊を含むことができる。前記被写体の反応は、前記燃焼炎の内側の領域に前記被写体を提供することにより生じることとすれば、燃焼炎の内側の領域には、酸素水素混合ガス中において酸素原子と未反応の水素原子が存在し易く、被写体のプラズマ崩壊の促進が図られる。【００１０】前記燃焼炎と前記被写体との相対位置関係を変更する位置調整部を有し、前記位置調整部により前記燃焼炎と前記被写体との相対位置関係を変更して前記燃焼炎の内側の領域に前記被写体を提供することとすれば、例えば燃焼炎と被写体との距離を短くして水素原子が多い領域で反応を生じさせてプラズマ崩壊を促進したり、燃焼炎と被写体との距離を長くして水素原子が少ない領域で反応を生じさせてプラズマ崩壊を抑制することができる。【００１１】前記燃焼炎を検出する検出器と、前記検出器による検出データに基づいて前記燃焼炎の内側の領域を判断する領域判断部と、を有し、前記位置調整部は、前記領域判断部の判断結果に応じて前記燃焼炎と前記被写体との相対位置関係を変更することとすれば、燃焼炎の領域を正確に把握しながら燃焼炎と被写体との相対位置関係の変更をすることができる。【００１２】前記酸素水素混合ガスは、水の電気分解を行う電気分解室により生成されるとともに、前記電気分解室は、外気と遮断するように密閉する構成とすることとすれば、水の電気分解により生じた酸素ガスおよび水素ガスを空気中の酸素と非接触の状態として非イオン化し原子の状態に保持することができる。前記密閉は、所定のシール材により前記電気分解室をシールして行うことができる。【００１３】前記被写体の燃焼反応により生じた熱エネルギーにより発電を行う発電器を有することとすれば、エネルギーの有効活用を図ることができる。【００１４】上記目的を達成するために、本発明に係る燃焼反応方法は、酸素ガスおよび水素ガスを混合した酸素水素混合ガスの燃焼により生じた燃焼炎により被写体に所定の反応を生じさせることを特徴とする。
【発明の効果】
【００１５】本発明によれば、酸素水素混合ガスから得られる燃焼炎の有効活用を図ることができる。
【図面の簡単な説明】
【００１６】
【図１】本発明の実施形態に係る燃焼反応器を含む酸素水素混合ガス発生装置の全体構成を示す図である。
【図２】同燃焼反応器の構成を示す図である。
【図３】同燃焼反応器の構成を示す別の図で、（ａ）は噴出部の位置を調整した状態を示す図、（ｂ）は提供部の位置を調整した状態を示す図である。
【図４】同酸素水素混合ガス発生装置の電源装置の構成を示す図である。
【図５】同電源装置の第１の電路を示す図である。
【図６】同電源装置の第２の電路を示す図である。
【図７】同電源装置の出力波形を示す図で、（ａ）は交流電源からの出力波形、（ｂ）はコンバータ回路からの出力波形、（ｃ）はパルスカット回路および極性反転回路からの出力波形、（ｄ）はインバータ回路からの出力波形を示す図である。
【図８】同酸素水素混合ガス発生装置による混合ガスの発生方法を説明するためのフローチャートである。
【図９】本発明の変形例に係る酸素水素混合ガス発生装置の構成を示す図である。
【発明を実施するための形態】
【００１７】以下、本発明の実施形態について図面を参照して詳細に説明する。図１は、本発明の実施形態に係る燃焼反応器を含む酸素水素混合ガス発生装置の全体構成を示す図、図２は、同燃焼反応器の構成を示す図、図３は、同燃焼反応器の構成を示す別の図、図４は、同酸素水素混合ガス発生装置の電源装置の構成を示す図、図５は、同電源装置の第１の電路を示す図、図６は、同電源装置の第２の電路を示す図、図７は、同電源装置の出力波形を示す図である。
【００１８】図１を参照して本発明の実施形態に係る酸素水素混合ガス発生装置１の概要を説明すると、酸素水素混合ガス発生装置１は、電気分解装置１０、混合器２０、燃焼反応器３０、発電機４０、および電源装置５０を有しており、酸素水素混合ガスを連続的に発生させることができる。
【００１９】電気分解装置１０は、電気分解室１０ａおよび電極を有し、電極は、第１の電極１１、および第２の電極１２を有している。
【００２０】すなわち、電気分解装置１０は、電気分解室１０ａに水を満たしつつ、第１の電極１１および第２の電極１２を水に浸漬させて通電することにより水の電気分解を行うことができ、電気分解室１０ａは、第１の電極１１および第２の電極１２から酸素ガスおよび水素ガスを発生させることができる。電気分解室１０ａの少なくとも上部側は、酸素水素混合ガスが滞留する滞留部１０ａ´として機能する。
【００２１】ここで、電気分解室１０ａは、外気と遮断するように密閉し閉鎖する構成となっており、この密閉は、所定のシール材１００により電気分解室１０ａの上壁１０ａ´における側壁１０ｂ´との継ぎ目、上壁１０ａ´における電極１１，１２の貫通部、上壁１０ａ´における配管１０ｂの接続部分等、各所をシールして行うことができる。シール材１００は、例えばシリコン樹脂とすることができる。
【００２２】すなわち、電気分解室１０ａにおいて生じた酸素水素混合ガスは、電気分解室１０ａを外気と遮断するように密閉し閉鎖する閉鎖空間とすることができる。これにより、水の電気分解により生じた酸素ガスおよび水素ガスを空気中の酸素と非接触の状態として非イオン化し原子の状態に保持することができる。滞留部１０ａ´´には、体積換算で６７％の水素原子と３３％の酸素原子が存在することとなる。
【００２３】第１の電極１１および第２の電極１２は、電源装置４０により極性より詳しくは陽極と陰極を交互に反転させることができ、陽極から酸素ガスを、陰極から水素ガスを発生させることができる。電極１１，１２は、チタン、プラチナ、およびステンレスのうち少なくともいずれかを含んで構成することができる。
【００２４】電気分解室１０ａに満たされた水には、電気分解を促進させる物質が添加されている。電気分解を促進させる物質は、ナトリウム系化合物および／またはカリウム系化合物とすることができ、ナトリウム系化合物は、ナトリウム系の炭酸塩とし、カリウム系の化合物は、カリウム系の炭酸塩とすることができる。更に、ナトリウム系の炭酸塩は、炭酸ナトリウムおよび／または重炭酸ナトリウムとし、カリウム系の炭酸塩は、炭酸カリウムおよび／または重炭酸カリウムとすることができる。
【００２５】混合器２０は、電気分解室１０ａの上壁１０ａ´と配管１０ｂを介して接続し連通しており、第１の電極１１および第２の電極１２から発生した酸素ガスおよび水素ガスを流入させて混合し酸素水素混合ガスとすることができる。
【００２６】燃焼反応器３０は、所定の着火装置を有しており、混合器２０により混合された酸素水素混合ガスを燃焼させることができる。燃焼反応器３０は、酸素水素混合ガスの初期燃焼を補助するための補助燃料の供給系統を有することとしてもよい。
【００２７】ここで、燃焼反応器３０は、酸素ガスおよび水素ガスを混合した酸素水素混合ガスの燃焼により生じた燃焼炎３１により被写体３５（本実施形態において、被写体３５とは、燃焼反応器３０による燃焼反応より詳しくはプラズマ崩壊の対象物であり、後述するように産業廃棄物等の各種のゴミを含む等、燃焼反応器３０による燃焼反応より詳しくはプラズマ崩壊をすることができる各種の物質を含むことができる）に所定の燃焼反応を生じさせる燃焼方法を提供することができる。
【００２８】すなわち、被写体３５の燃焼反応は、燃焼炎３１により被写体３５を電離して被写体３５から陽子および電子を放出してプラズマ化し水素原子とするプラズマ崩壊を含むことができる。
【００２９】つまり、酸素水素混合ガスは、酸素原子および水素原子を含んでおり、燃焼反応は、水素原子が被写体３５に衝突することにより、被写体３５から陽子および電子を放出するプラズマ崩壊を含むことができる。そして、この燃焼反応は、更にプラズマ崩壊により放出された陽子および電子と水素原子とが結合して水素分子を発生させる反応とすることができる。
【００３０】この被写体３５の燃焼反応は、図２に示すように、燃焼炎３１の内側の領域３１´に被写体３５を提供することにより生じることができる。燃焼炎３１の内側の領域には、酸素水素混合ガス中において酸素原子と未反応の水素原子が存在し易く、被写体３５のプラズマ崩壊を促進させることができる。
【００３１】燃焼反応器３０は、同じく図２に示すように、検出器３３と領域判断部３４を有している。検出器３３は、燃焼炎３１を検出することができ、領域判断部３４は、検出器３３による検出データに基づいて燃焼炎３１の内側の領域３１´の位置を判断することができる。
【００３２】検出器３３による検出データは、例えば、燃焼炎３１の色や温度とすることができ、領域判断部３４は、燃焼炎３１の色や温度に基づいて燃焼炎３１の内側の領域３１´の位置を判断することができる。酸素水素混合ガスの燃焼炎３１は、内側から外側に行くにしたがって白色の燃焼炎３１の領域３１ａ、黄色の燃焼炎３１の領域３１ｂ、オレンジ色の燃焼炎３１の領域３１ｃ、赤色の燃焼炎３１の領域３１ｄの如く順次火炎の色が遷移し、内側に行くにしたがって燃焼炎３１の温度が高くなるという特徴を有している（領域判断部３４は、白色の領域３１ａ、黄色の領域３１ｂ、オレンジ色の領域３１ｃ、赤色の領域３１ｄの位置を判断することができる）。したがって、燃焼炎３１の各領域３１ａ，３１ｂ，３１ｃ，３１ｄの色や温度を検出し把握することにより、効率よく被写体３５の燃焼反応を行うことができる
【００３３】すなわち、燃焼反応器３０は、同じく図２に示すように、位置調整部３２を有しており、位置調整部３２は、燃焼炎３１と被写体３５との相対位置関係を変更することができる。つまり、位置調整部３２により燃焼炎３１と被写体３５との相対位置関係を変更して燃焼炎３１の内側の領域３１´に被写体３５を提供することとしたり、被写体３５を燃焼炎３１の内側の領域３１´に提供した後に、内側の領域３１´における被写体３５の位置の微調整を行うことができる。位置調整部３２は、領域判断部３４の判断結果に応じて燃焼炎３１と被写体３５との相対位置関係を変更することができる。
【００３４】より詳しくは、燃焼反応器３０は、酸素水素混合ガスを噴出する噴出部３６を有している。噴出部３６は、酸素水素混合ガスが噴出可能なノズル状となっており、電気分解室１０ａの上部側の滞留部１０ａ´´と連通している。すなわち、被写体３５の燃焼反応は、噴出部３６から噴出する酸素水素混合ガスの燃焼炎３１により生じ、位置調整部３２は、領域判断部３４の判断結果に基づいて、図３（ａ）に示すように、噴出部３６の位置を調整することにより、燃焼炎３１と被写体３５との相対位置関係を変更することができる。
【００３５】また、燃焼反応器３０は、被写体３５を提供する提供部３７を有しており、提供部３７は、被写体３５を載置可能な所定の台とすることができる。位置調整部３２は、領域判断部３４の判断結果に基づいて、図３（ｂ）に示すように、提供部３７の位置を調整することにより、燃焼炎３１と被写体３５との相対位置関係を変更することもできる。なお、噴出部３６および提供部３７は、モータの駆動力等により駆動可能な所定の移動機構を備えている。
【００３６】このように酸素水素混合ガスを燃焼させて、この燃焼による燃焼炎３１を被写体３５に接触させることにより、被写体３５のプラズマ崩壊を生じさせて被写体３５を一つの陽子および一つの電子からなる物質つまり原子水素に分裂させる燃焼方法を提供することができ、この燃焼方法により、様々な被写体３５を瞬時にプラズマ崩壊させて原子水素に分解し消失させることができる。
【００３７】被写体３５は、各種の物質とすることができ、有害な物質や毒性のある物質であっても、本発明の酸素水素混合ガスの燃焼炎３１を接触させることにより、無害化することができる。また、大量の処理が必要な産業廃棄物等にあっても短時間で焼失させることができ、廃棄物処理の低コスト化を図ることができる。
【００３８】更に、燃焼反応器３０は、上記の燃焼反応より詳しくはプラズマ崩壊により生じた分裂した原子水素同士、前記分裂した原子水素と酸素水素混合ガス中の原子水素、酸素水素混合ガス中の原子水素同士により水素分子を生成する燃焼方法を提供することができる。更にまた、燃焼反応器３０は、上記の燃焼反応より詳しくはプラズマ崩壊を連続的に行ことにより、水素の全てを水素分子とすることができる。これにより、酸素水素混合ガスの状態を安定させることができる。
【００３９】発電機４０は、燃焼反応器３０の上記燃焼反応により生じる熱エネルギーを電気エネルギーに変換して発電を行うことができる。
【００４０】電源装置５０は、図４に示すように、交流電源５１、ＡＣ／ＤＣコンバータ回路５２、パルスカット回路５３、極性反転回路５４、およびインバータ回路５５を有しており、電気分解装置１０の第１の電極１１と第２の電極１２に所定のパルス電力を供給することができる。
【００４１】すなわち、ＡＣ／ＤＣコンバータ回路５２は、スイッチング素子、トランス、およびブリッジダイオードを含んでおり、交流電源５１から供給される交流電力を直流電力に変換することができる。
【００４２】パルスカット回路５３は、ＡＣ／ＤＣコンバータ回路５２から供給される直流電力のオンオフを繰り返し行うことにより直流電力のパルスカットを行い、所定の周波数のパルス波を形成することができる。
【００４３】パルスカット回路５３は、スイッチング素子を含み、同素子のスイッチング操作により直流電力のオン時間およびオフ時間を制御してパルスカットを行い所定のパルス波形を形成することができる。
【００４４】極性反転回路５４は、第１の電極１１と第２の電極１２の極性より詳しくは陽極と陰極を交互に反転させてパルス波の極性を交互に反転させることができる。
【００４５】極性反転回路５４は、スイッチング素子を含み、同素子のスイッチング操作により第１の電路６０および第２の電路７０を交互に形成することができる。
【００４６】すなわち、第１の電路６０は、図５に示すように、直流電力に基づく電流が第１の電極１１から第２の電極１２に流れて第１の電極１１を陽極とし第２の電極１２を陰極とする電路である。第２の電路７０は、図６に示すように、直流電力に基づく電流が第２の電極１２から第１の電極１１に流れて第１の電極１１を陰極とし第２の電極１２を陽極とする電路である。これら第１の電路１１および第２の電路７０を交互に形成することにより、第１の電極１１と第２の電極１２の極性を交互に反転させることができる。
【００４７】インバータ回路５５は、電源装置５０から供給される直流電力の電圧を制御することができる。インバータ回路５５により直流電圧の昇圧および降圧のいずれも可能な構成となっている。
【００４８】この電源装置５０によるパルス電圧の形成方法は、次のように説明される。すなわち、図７（ａ）に示す交流電源５１からの交流電力を、図７（ｂ）に示すように、ＡＣ／ＤＣコンバータ回路５２により直流電力に変換する。次いで、図７（ｃ）に示すように、パルスカット回路５３のスイッチング操作によりパルスカットを行うとともに、極性反転回路５４のスイッチング操作により極性の交互の反転を行う。続いて、図７（ｄ）に示すように、インバータ回路５５により直流電力の電圧の制御を行う。
【００４９】次に、上記の如く構成された酸素水素混合ガス発生装置１による混合ガスの発生方法を図８のフローチャートに基づいて説明する。
【００５０】すなわち、まずステップＳ１０において、電気分解装置１０の電気分解室１０ａに水を満たしつつ第１の電極１１および第２の電極１２を浸漬させる。そして、電源装置５０を作動させてＡＣ／ＤＣコンバータ回路５２により交流電源５１から供給される交流電力を直流電力に変換しつつ、ＡＣ／ＤＣコンバータ回路５２から供給される直流電力のオンオフを行うことにより直流電力のパルスカットを行い第１の電極１１および第２の電極１２にパルス電力を供給する。このパルス電力の供給により、第１の電極１１および第２の電極１２において、極性反転回路５４により陽極と陰極を交互に反転させることができ、陽極から酸素ガスを、陰極から水素ガスを発生させることができる。
【００５１】続いて、ステップ２０において、ステップＳ１０で発生した酸素ガスおよび水素ガスを混合器２０により混合し酸素水素混合ガスとする。
【００５２】ここで、このように発生した酸素水素混合ガスを吸引することにより、体内で取り込まれた原子酸素は、体内から電子を受け取り自らは還元され体内の免疫力を促す酸素イオンとなり、原子水素は電子を放出し、細胞に還元力を与える水素イオンとなる。
【００５３】特に、水素イオンは、各種疾患の最大の原因として、知られているハイドロキシラジカル（ＯＨ−）のみを効率的に中和する。同時にイオンになる際に電子を放出するため、細胞の還元、つまり老化を緩和する。あらかじめ、通常の電気分解で生成された水素イオン水はすでに、電子を放出した後であるため、ハイドロキシラジカルの中和は期待できるが、新たな電子の放出はないため還元力は期待できない。
【００５４】すなわち、本発明の酸素水素混合ガスにより、体内における原子酸素から酸素イオンに変わった際の免疫力のアップと原子水素が水素イオンに変わった際のハイドロキシラジカルの中和と、原子水素からの電子放出による、細胞の還元を図ることができる。
【００５５】ステップ２Ｓ０に続くステップＳ３０において、ステップＳ２０で発生した酸素水素混合ガスを燃焼反応器３０により連続的に燃焼させ燃焼炎３１を被写体３５に接触させる。これにより、被写体３５の燃焼反応より詳しくはプラズマ崩壊を生じさせて被写体３５を原子水素に分裂させ、分裂した水素原子から水素分子を生成することができ、被写体３５を消失させることができる。
【００５６】次に、ステップＳ４０において、発電機４０が、燃焼反応器３０の反応により生じた熱エネルギーを電気エネルギーに変換して発電を行う。燃焼反応器３０の反応により生じた熱エネルギーはプラズマ崩壊を伴うものであるから被写体３５の質量に比例して膨大な熱エネルギーを得ることができ、発電機４０における発電効率を向上させることができる。なお、燃焼反応器３０を含む本実施形態の酸素水素混合ガス発生装置１は、所定のバッテリーを有し、稼働時のみバッテリーを作動させることとすれば、それ以降は、被写体３５の燃焼反応の際に得られる熱エネルギーを発電機４０により電気エネルギーに変換して稼働を継続することができる。
【００５７】以上説明したように、本発明の酸素水素混合ガス発生装置１および酸素水素混合ガス発生方法によれば、電源装置５０は、第１の電極１１と第２の電極１２の極性を交互に反転させることとしたので、第１の電極１１と第２の電極１２の極性を交互に反転させながら電気分解を行うことができ、電極への不純物の付着を低減させることができる。これにより、電気分解により安定的に酸素水素混合ガスを発生させることができる。
【００５８】また、本発明の燃焼反応器３０および燃焼方法によれば、酸素水素混合ガスの燃焼による燃焼炎３１を被写体３５に接触させることにより、被写体３５の燃焼反応より詳しくはプラズマ崩壊を生じさせて被写体３５を原子水素に分裂させることとしたので、酸素水素混合ガスの燃焼炎３１により被写体３５を原子水素に分解し消失させることができ、酸素水素混合ガスから得られる燃焼炎３１の有効活用を図ることができる。
【００５９】なお、本発明は、上述した実施形態に限定されることなく種々の応用実施、変形実施が可能であることは勿論である。
【００６０】すなわち、上述した実施形態においては、燃焼反応器３０により酸素水素混合ガスを燃焼させることとしているが、図９に示すように燃焼反応器３０を介さずに酸素水素混合ガスを放出し、吸引することとしても所要の効果を奏する。
【符号の説明】
【００６１】１：酸素水素混合ガス発生装置１０：電気分解装置１０ａ：電気分解室１０ａ´：上壁１０ａ´´：滞留部１０ｂ：配管１０ｂ´：側壁１１：第１の電極１２：第２の電極２０：混合器３０：燃焼反応器３１：燃焼炎３１ａ：白色の火炎領域３１ｂ：黄色の火炎領域３１ｃ：オレンジ色の火炎領域３１ｄ：赤色の火炎領域３１´：内側の領域３２：位置調整部３３：検出器３４：領域判断部３５：被写体３６：噴出部３７：提供部４０：発電機５０：電源装置５１：交流電源５２：ＡＣ／ＤＣコンバータ回路５３：パルスカット回路５４：極性反転回路５５：インバータ回路６０：第１の電路７０：第２の電路１００：シール材
【図１】
2020241656.tif 000003
【図２】
2020241656.tif 000004
【図３】
2020241656.tif 000005
【図４】
2020241656.tif 000006
【図５】
2020241656.tif 000007
【図６】
2020241656.tif 000008
【図７】
2020241656.tif 000009
【図８】
2020241656.tif 000010
【図９】
2020241656.tif 000011
【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
酸素ガスおよび水素ガスを混合した酸素水素混合ガスの燃焼により生じた燃焼炎により被写体に所定の反応を生じさせ、前記被写体の反応は、前記燃焼炎により前記被写体を電離して前記被写体から陽子および電子を放出してプラズマ化するプラズマ崩壊を含むことを特徴とする燃焼反応器。
【請求項２】
酸素ガスおよび水素ガスを混合した酸素水素混合ガスの燃焼により生じた燃焼炎により被写体に所定の反応を生じさせ、
前記燃焼炎と前記被写体との相対位置関係を変更する位置調整部を有し、前記位置調整部により前記燃焼炎と前記被写体との相対位置関係を変更して前記燃焼炎の内側の領域に前記被写体を提供し、
前記燃焼炎を検出する検出器と、前記検出器による検出データに基づいて前記燃焼炎の内側の領域を判断する領域判断部と、を有し、
前記位置調整部は、前記領域判断部の判断結果に応じて前記燃焼炎と前記被写体との相対位置関係を変更することを特徴とする燃焼反応器。
【請求項３】
前記被写体の反応は、前記燃焼炎の内側の領域に前記被写体を提供することにより生じることを特徴とする請求項１または請求項２に記載の燃焼反応器。
【請求項４】
前記酸素水素混合ガスは、水の電気分解を行う電気分解室から発生するとともに、前記電気分解室は、外気と遮断するように密閉する構成とすることを特徴とする請求項１または請求項２に記載の燃焼反応器。
【請求項５】
前記密閉は、所定のシール材により前記電気分解室をシールして行うことを特徴とする請求項４に記載の燃焼反応器。
【請求項６】
前記被写体の燃焼反応により生じた熱エネルギーにより発電を行う発電器を有することを特徴とする請求項１または請求項２に記載の燃焼反応器。
【請求項７】
酸素ガスおよび水素ガスを混合した酸素水素混合ガスの燃焼により生じた燃焼炎により被写体に所定の反応を生じさせ、前記被写体の反応は、前記燃焼炎により前記被写体を電離して前記被写体から陽子および電子を放出してプラズマ化するプラズマ崩壊を含むことを特徴とする燃焼反応方法。
【国際調査報告】
2020241656.tif 000012
2020241656.tif 000013
2020241656.tif 000014
2020241656.tif 000015